(57)【要約】【課題】歩行の妨げになることがなく、また、美粧性に優れたマーカーホルダーを提供する。【解決手段】４隅に取付け孔１２を有する薄板状の取付けベース１１と、取付けベース１１の表面１１ａに固定したシート状のマグネット１３によってマーカーホルダー１０を構成し、取付け孔１２にシューレース９を通すことで、マーカーホルダー１０をゴルフシューズ１に取り付ける。全体として薄く、コンパクトに構成することができ、ゴルフシューズの表面に沿って取り付けることができるので、歩行の妨げになることはなく、また、美粧性を低下させることもない。【選択図】図１
2009225959.tif 000002
【特許請求の範囲】
【請求項１】
紐付きのゴルフシューズに取り付けられて、ボールマーカーを保持するマーカーホルダーにおいて、
薄板状の取付けベースと、
前記取付けベースを前記ゴルフシューズに取り付けるための取付け構造と、
前記取付けベースに固定されて、強磁性体からなるボールマーカーが着脱されるシート状のマグネットと、を備える、
ことを特徴とするマーカーホルダー。
【請求項２】
前記取付け構造は、前記取付けベースに穿設されて靴紐が通される取付け孔によって構成されている、
ことを特徴とする請求項１に記載のマーカーホルダー。
【請求項３】
前記取付け構造は、前記取付けベースに固定されるとともに靴紐に引っかけるフックによって構成されている、
ことを特徴とする請求項１に記載のマーカーホルダー。
【請求項４】
前記取付け構造は、前記取付けベースに固定されるとともに前記ゴルフシューズの紐孔に通されるピンによって構成されている、
ことを特徴とする請求項１に記載のマーカーホルダー。
【請求項５】
前記取付けベースが、前記ボールマーカーよりも小さく形成されている、
ことを特徴とする請求項１ないし４のいずれか１項に記載のマーカーホルダー。
【請求項６】
前記取付けベースが、装飾具を兼ねる、
ことを特徴とする請求項１ないし５のいずれか１項に記載のマーカーホルダー。
【発明の詳細な説明】
【技術分野】
【０００１】
本発明は、ゴルフシューズに取り付けて使用するマーカーホルダーに関する。
【背景技術】
【０００２】
ゴルフ用具の１つであるボールマーカーは、ゴルフコースでプレー中にボールの汚れを払拭するためにボールを取り上げたり、他のプレーヤーの要請によってボールをどけたりする場合に、ボールに代えてボールのあった位置におくのに使用される。このため、プレーヤーは、プレー中にボールマーカーを持ち歩くことになる。
【０００３】
特許文献１には、このボールマーカーを、ゴルフシューズに取り付けるためのホルダーが提案されている。
【０００４】
このものは、肉厚に構成されていて、ゴルフシューズの靴紐に通して使用する。肉厚の側面には、ゴルフティーやグリーンフォークが挿入され、上面には、ボールマーカーが取り付けられるようになっている。
【特許文献１】実開平６−９６７０号公報
【発明の開示】
【発明が解決しようとする課題】
【０００５】
しかしながら、特許文献１に記載されているホルダーは、ボールマーカーをはじめ、ゴルフティーやグリーンフォークも取り付けることができるので、大変便宜ではあるものの、その分、大きくなり、歩行の妨げとなり、また、美粧性に劣るといった問題がある。
【０００６】
そこで、本発明は、歩行の妨げになることがなく、また、美粧性に優れたマーカーホルダーを提供することを目的とするものである。
【課題を解決するための手段】
【０００７】
請求項１に係る発明は、紐付きのゴルフシューズに取り付けられて、ボールマーカーを保持するマーカーホルダーに関する。この発明に係るマーカーホルダーは、薄板状の取付けベースと、前記取付けベースを前記ゴルフシューズに取り付けるための取付け構造と、前記取付けベースに固定されて、強磁性体からなるボールマーカーが着脱されるシート状のマグネットと、を備える、ことを特徴としている。
【０００８】
請求項２に係る発明は、請求項１に係るマーカーホルダーにおいて、前記取付け構造は、前記取付けベースに穿設されて靴紐が通される取付け孔によって構成されている、ことを特徴としている。
【０００９】
請求項３に係る発明は、請求項１に係るマーカーホルダーにおいて、前記取付け構造は、前記取付けベースに固定されるとともに靴紐に引っかけるフックによって構成されている、ことを特徴としている。
【００１０】
請求項４に係る発明は、請求項１に係るマーカーホルダーにおいて、前記取付け構造は、前記取付けベースに固定されるとともに前記ゴルフシューズの紐孔に通されるピンによって構成されている、ことを特徴としている。
【００１１】
請求項５に係る発明は、請求項１ないし４のいずれか１項に係るマーカーホルダーにおいて、前記取付けベースが、前記ボールマーカーよりも小さく形成されている、ことを特徴としている。
【００１２】
請求項６に係る発明は、請求項１ないし５のいずれか１項に係るマーカーホルダーにおいて、前記取付けベースが、装飾具を兼ねる、ことを特徴としている。
【発明の効果】
【００１３】
請求項１の発明によると、ボールマーカーを、ゴルフシューズに取り付けたマーカーホルダーによって持ち歩くことができるので便利である。また、ボールマーカーを、取付けベースに固定されたマグネットによって着脱させることができるので、着脱が容易である。また、ボールマーカーがゴルフシューズに取り付けられているので、ボールマーカーを所定の場所に置くために、プレーヤーがしゃがむ（屈む）とボールマーカーに簡単に手が届くので、取り外して置く動作が容易である。また、ボールマーカーは、取付けベースが薄板状に形成され、マグネットがシート状に形成されているので、全体としてコンパクトに構成することができ、取付け構造によってゴルフシューズに取り付けた際に、ゴルフシューズの表面に沿って取り付けることができるので、歩行の妨げになることはなく、また、美粧性を低下させるようなこともない。
【００１４】
請求項２の発明によると、取付け構造が、取付けベースに穿設された取付け孔によって構成されているので、構成が簡単である。
【００１５】
請求項３の発明によると、フックを靴紐に引っかけることにより、靴紐を解くことなく取付けベースをゴルフシューズに取り付けることができる。
【００１６】
請求項４の発明によると、ピンを紐孔に挿入することにより、靴紐を解くことなく取付けベースをゴルフシューズに取り付けることができる。
【００１７】
請求項５の発明によると、取付けベースがボールマーカーよりも小さく形成されているので、ボールマーカーを取り付けると、取付けベースが隠れて見えなくなるので、例えば、デザイン等が施されたボールマーカーを使用することにより、美粧性に優れたものとすることができる。
【００１８】
請求項６の発明によると、取付けベースは、装飾具を兼ねているので、ボールマーカーが取り付けられない場合であっても、ゴルフシューズから取り外す必要がない。
【発明を実施するための最良の形態】
【００１９】
以下、本発明の最良の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
＜実施形態１＞
【００２０】
図１を参照して、本発明に係るマーカーホルダーの実施形態１を説明する。同図は、実施形態１のマーカーホルダー１０をゴルフシューズ１に取り付けた状態を示す斜視図である。
【００２１】
ゴルフシューズ１は、アウトソール２、トゥ３、アッパー４、ヒール５、タン６等によって構成されていて、アッパー４には、複数のシューホール（紐孔）７が穿設されている。なお、同図に示す例では、シューホール７には、アイレット（鳩目）８が取り付けられている。シューホール７には、シューレース（靴紐）９が通されている。
【００２２】
マーカーホルダー１０は、薄板状の取付けベース１１と、取付け構造としての取付け孔１２と、マグネット１３とを備えている。
【００２３】
取付けベース１１は、ほぼ長方形状に形成されていて、４隅には、ゴルフシューズ１のシューホール７に対応する位置に取付け孔１２が穿設されている。取付けベース１１は、例えば、ビニール等の軟質の合成樹脂や皮革等によって形成することにより、適度に湾曲させることができるようになっている。取付けベース１１は、ゴルフシューズ１のシューホール７にシューレース９を通す際に、同時に取付け孔１２にシューレース９を通すことで、取り付けることができる。なお、図１では、取付けベース１１を取り付けるために、トゥ３側の４個のシューホール７を利用しているが、これに代えて、これらよりもヒール５側の４個のシューホール７を利用することも可能である。つまり、取付けベース１１の取付け位置は、取付けに使用する４個のシューホール７を適宜に選択することで変更が可能である。
【００２４】
マグネット１３としては、長方形状の薄いシート状のものが使用されている。マグネット１３は、取付けベース１１の表面１１ａのほぼ中央の、シューレース９がかからない位置に固定されている。
【００２５】
ボールマーカーＭは、例えば、円板状の鉄板（強磁性体）によって形成されていて、マグネット１３に着脱される。
【００２６】
上述のマーカーホルダー１０によると、ボールマーカーＭがゴルフシューズ１に取り付けられるので、ボールマーカーＭをグリーン上の所定の場所に置くために、プレーヤーがしゃがむ（屈む）とボールマーカーＭに簡単に手が届くので、これを取り外して置く動作が容易である。
【００２７】
上述のようにマーカーホルダー１０は、取付けベース１１が薄板状に形成され、また、マグネット１３がシート状に形成されているので、全体としてコンパクトに構成することができ、取付け孔１２にシューレース９を通してゴルフシューズ１に取り付けた際に、ゴルフシューズ１のアッパー４に沿って配設されるので、歩行の妨げになることはなく、また、美粧性を低下させるようなこともない。
【００２８】
上述の取付けベース１１，マグネット１３，ボールマーカーＭに装飾やデザインを施すようにすれば、ゴルフシューズ１の装飾具として美粧性に優れたものとすることができる。
＜実施形態２＞
【００２９】
図２（ａ），（ｂ）を参照して、本発明に係るマーカーホルダーの実施形態２を説明する。ここで、図２（ａ）は、実施形態２のマーカーホルダー２０をゴルフシューズ１に取り付けた状態を示す斜視図である。図２（ｂ）は、図２（ａ）におけるマーカーホルダー２０を矢印Ａ方向から見た図である。
【００３０】
これらの図に示すように、マーカーホルダー２０は、取付けベース２１と、取付け構造としてのフック（折り返し部）２２と、マグネット２３とを備えている。
【００３１】
取付けベース２１は、ほぼ長方形の薄板状に形成されており、フック２２は、この取付けベース２１のヒール５側の端縁２１ａから裏面２１ｂ側に折り返すようにして形成されている。フック２２は、取付けベース２１の端縁２１ａのほぼ全長にわたって形成されている。
【００３２】
マグネット２３は、円形のシート状に形成されていて、取付けベース２１の表面２１ｃに固定されている。
【００３３】
上述構成のマーカーホルダー２０をゴルフシューズ１に取り付けるには、フック２２をシューレース９の下側に回して引っかけ、取付けベース２１とフック２２との間でシューレース９を挟み込むようにする。
【００３４】
本実施形態２に係るマーカーホルダー２０によると、上述の実施形態１のマーカーホルダー１０と同様の効果に加え、さらに、マーカーホルダー２０をゴルフシューズ１に取り付ける際に、シューレース９を解くことが不要であるので、着脱が容易であり、また、マグネット２３にボールマーカーＭを取り付けた際に、シューレース９が邪魔にならない、という効果がある。
【００３５】
なお、上述では、フック２２は、取付けベース２１の端縁２１ａの全長にわたって設けた例を説明したが、これに代えて、端縁２１ａの一部、例えば、端縁２１ａに沿っての両端部にのみにもうけて、中央側は省略するようにしてもよい。
＜実施形態３＞
【００３６】
図３（ａ）〜（ｇ）を参照して、本発明に係るマーカーホルダーの実施形態３を説明する。ここで、図３（ａ）は、実施形態３のマーカーホルダー３０をゴルフシューズ１に取り付けた状態を示す斜視図である。図３（ｂ）〜（ｇ）は、いずれもマーカーホルダー３０を説明する図であり、このうち（ｂ）は上面図、（ｃ）は側面図、（ｄ）は下面図、（ｅ）は斜め上方から見た斜視図、（ｆ）は背面図、（ｇ）は斜め下方から見た斜視図である。
【００３７】
これらの図に示すように、マーカーホルダー３０は、取付けベース３１と、取付け構造としてのピン部材（ピン）３２と、マグネット３３とを備えている。
【００３８】
取付けベース３１は、円形の薄板状に形成されている。
【００３９】
ピン部材３２は、図３（ｃ），（ｇ）に示すように、ネクタイピンのように形成されていて、ループ状の係合部３２ａを有している。ピン部材３２は、取付けベース３１の裏面３１ｂに、直径方向を向くように、かつ先端３２ｂが取付けベース３１の径方向外側に突出するように固定されている。
【００４０】
マグネット３３は、取付けベース３１よりも小さい円形のシート状に形成されていて、取付けベース３１の表面３１ａのほぼ中央に固定されている。
【００４１】
上述構成のマーカーホルダー３０をゴルフシューズ１に取り付けるには、ピン部材３２の先端をシューホール７に挿入し、係合部３２ａをシューホール７の端縁に引っかけるようにする。マーカーホルダー３０を取り付けるシューホール７は、任意のものを選択することができる。
【００４２】
本実施形態３に係るマーカーホルダー３０によると、上述の実施形態１，２の効果に加え、さらに、任意のシューホール７に取り付けられるので、取付位置についての選択の自由度が極めて大きく、また、全体の大きさをコンパクトに構成することができる。
【００４３】
なお、本実施形態３において、取付けベース３１の大きさを、ボールマーカーＭよりの小さく形成した場合には、マグネット３３にボールマーカーＭを取り付けると、取付けベース３１がボールマーカーＭによって覆われて外部からは見えなくなる。したがって、マーカーホルダー３０がゴルフシューズ１に取り付けられていることが、外部からは見えないため、極めて、美粧性に優れたものとすることができる。
【図面の簡単な説明】
【００４４】
【図１】実施形態１のマーカーホルダー１０をゴルフシューズ１に取り付けた状態を示す斜視図である。
【図２】（ａ）は、実施形態２のマーカーホルダー２０をゴルフシューズ１に取り付けた状態を示す斜視図であり、（ｂ）は、（ａ）におけるマーカーホルダー２０を矢印Ａ方向から見た図である。
【図３】実施形態３のマーカーホルダー３０を説明する図であり、（ａ）は、実施形態３のマーカーホルダー３０をゴルフシューズ１に取り付けた状態を示す斜視図であり、図３（ｂ）〜（ｇ）は、いずれもマーカーホルダー３０を説明する図であり、（ｂ）は上面図、（ｃ）は側面図、（ｄ）は下面図、（ｅ）は斜め上方から見た斜視図、（ｆ）は背面図、（ｇ）は斜め下方から見た斜視図である。
【符号の説明】
【００４５】
１          ゴルフシューズ
７          シューホール（紐孔）
９          シューレース（靴紐）
１０，２０，３０
マーカーホルダー
１１，２１，３１
取付けベース
１２        取付け孔（取付け構造）
１３，２３，３３
マグネット
２２        フック（取付け構造）
３２        ピン部材（ピン）
Ｍ          ボールマーカー
【図１】
2009225959.tif 000003
【図２】
2009225959.tif 000004
【図３】
2009225959.tif 000005